(57)【要約】【課題】利用環境によらず容易にかつ安価に実現できるとともに、誤認識を低減可能な文字認識方法、これを実施する情報処理システムおよび情報処理装置を提供する。【解決手段】情報処理手段により、入力手段を介して筆記入力された筆記情報と筆記時の位置を特定可能な情報を受信する処理と、筆記時刻を取得する処理と、前記受信した筆記時の環境を特定可能な情報と、記憶手段にあらかじめ記憶されている、前記筆記時の環境を特定可能な情報と前記筆記情報の文字や図形を含む前記筆記時の環境を示す情報との対応付け情報とに基づき、該当する前記筆記時の環境を特定する処理と、該筆記時の環境を特定する情報と、前記記憶手段にあらかじめ記憶されている、前記筆記時の環境を示す情報と筆記予定時刻との対応付け情報と、前記筆記情報と、前記筆記時刻とに基づき、前記筆記情報の文字や図形を認識する処理とを実施する。【選択図】図２
2010191554.tif 000002
【特許請求の範囲】
【請求項１】
情報処理手段により、入力手段を介して筆記入力された筆記情報の文字や図形を認識する文字図形認識方法であって、
前記筆記情報と前記筆記時の環境を特定可能な情報を受信する処理と、
筆記時刻を取得する処理と、
前記受信した筆記時の環境を特定可能な情報と、記憶手段にあらかじめ記憶されている、前記筆記時の環境を特定可能な情報と前記文字もしくは図形を含む前記筆記時の環境を示す情報との対応付け情報とに基づき、該当する前記筆記時の環境を特定する処理と、
該筆記時の環境を特定する情報と、前記記憶手段にあらかじめ記憶されている、前記筆記時の環境を示す情報と筆記予定時刻との対応付け情報と、前記筆記情報と、前記筆記時刻とに基づき、前記筆記情報の文字や図形を認識する処理とを実施する、
ことを特徴とする文字図形認識方法。
【請求項２】
情報処理手段により、ドットパターンが印刷された用紙にデジタルペンを用いて手書きで記入された情報を、ペン先の軌跡からなる位置情報として取得し電子データとして情報処理して前記用紙に記入された文字や図形を認識する文字図形認識方法であって、
前記手書き記入情報とデジタルペン識別情報を受信する処理と、
前記手書き記入時刻を取得する処理と、
前記受信したデジタルペン識別情報と、記憶手段にあらかじめ記憶されている、前記デジタルペン識別情報と前記デジタルペン配置先との対応付け情報とに基づき、該当するデジタルペン配備先を特定する処理と、
前記特定したデジタルペン配備先と、前記記憶手段にあらかじめ記憶されている、前記デジタルペンの配備先と前記手書き記入された前記用紙の入力予定時刻との対応付け情報と、前記受信した手書き記入情報と、前記取得した手書き記入時刻とに基づき、前記手書き記入情報の文字や図形を認識する処理とを実施する、
ことを特徴とする文字図形認識方法。
【請求項３】
前記デジタルペン識別情報に代えて、端末識別情報を用いる、
ことを特徴とする請求項２に記載の文字図形認識方法。
【請求項４】
前記デジタルペン識別情報に代えて、記入者識別情報を用いる、
ことを特徴とする請求項２に記載の文字図形認識方法。
【請求項５】
前記用紙は、帳票であり、該帳票の判別用に利用される文字や図形が記入される第一の領域と、該帳票の記入内容として利用される文字や図形が記入される第二の領域と、を有する、
ことを特徴とする請求項２乃至４に記載の文字図形認識方法。
【請求項６】
前記第一の領域は、記入者により、文字を一文字なぞらせるように印刷されている、
ことを特徴とする請求項５に記載の文字図形認識方法。
【請求項７】
前記第一の領域は、記入者により、チェックボックスのチェックマークをなぞらせるように印刷されている、
ことを特徴とする請求項５に記載の文字図形認識方法。
【請求項８】
入力部を介して筆記入力された筆記情報の文字や図形を認識する情報処理装置であって、
前記筆記情報と前記筆記時の環境を特定可能な情報を受信し、
筆記時刻を取得し、
前記受信した筆記時の環境を特定可能な情報と、記憶部にあらかじめ記憶されている、前記筆記時の環境を特定可能な情報と前記文字もしくは図形を含む前記筆記時の環境を示す情報との対応付け情報とに基づき、該当する前記筆記時の環境を特定し、
該筆記時の環境を特定する情報と、前記記憶部にあらかじめ記憶されている、前記筆記時の環境を示す情報と筆記予定時刻との対応付け情報と、前記筆記情報と、前記筆記時刻とに基づき、前記筆記情報の文字や図形を認識する情報処理部を有する、
ことを特徴とする情報処理装置。
【請求項９】
入力部を介して入力された筆記情報の文字や図形を認識する情報処理装置であって、
前記筆記情報と前記筆記時の環境を特定可能な情報を受信し、
筆記時刻を取得し、
前記受信した筆記時の環境を特定可能な情報と、記憶部にあらかじめ記憶されている、前記筆記時の環境を特定可能な情報と前記筆記時の環境を示す情報との対応付け情報と、に基づき、該当する前記筆記時の環境を特定し、
当該情報処理装置の外部から、前記文字もしくは図形を含む前記筆記時の環境を示す情報と筆記予定時刻との対応付け情報を受信し、
前記筆記時の環境を特定する情報と、前記筆記時の環境を示す情報と筆記予定時刻との対応付け情報前記筆記情報と、前記筆記時刻とに基づき、前記筆記情報の文字や図形を認識する情報処理部を有する、
ことを特徴とする情報処理装置。
【請求項１０】
ドットパターンが印刷された用紙にデジタルペンを用いて手書きで記入された情報を、ペン先の軌跡からなる位置情報として取得し電子データとして情報処理して前記用紙に記入された文字や図形を認識する情報処理装置であって、
端末からネットワークを介して前記手書き記入情報とデジタルペン識別情報を受信し、
前記手書き記入時刻を取得し、
前記受信したデジタルペン識別情報と、記憶部にあらかじめ記憶されている、前記デジタルペン識別情報と前記デジタルペン配置先との対応付け情報とに基づき、該当するデジタルペン配備先を特定し、
前記特定したデジタルペン配備先と、前記記憶部にあらかじめ記憶されている、前記デジタルペンの配備先と前記手書き記入された前記用紙の入力予定時刻との対応付け情報と、前記手書き記入情報と、前記手書き記入時刻とに基づき、前記手書き記入情報の文字や図形を認識する情報処理部を有する、
ことを特徴とする情報処理装置。
【請求項１１】
ドットパターンが印刷された用紙にデジタルペンを用いて手書きで記入された情報を、ペン先の軌跡からなる位置情報として取得し電子データとして情報処理して前記用紙に記入された文字や図形を認識する情報処理装置であって、
端末からネットワークを介して前記手書き記入情報とデジタルペン識別情報を受信し、
前記手書き記入時刻を取得し、
前記受信したデジタルペン識別情報と、記憶部にあらかじめ記憶されている、前記デジタルペン識別情報と前記デジタルペン配置先との対応付け情報とに基づき、該当するデジタルペン配備先を特定し、
当該情報処理装置の外部から、前記デジタルペンの配備先と前記手書き記入された前記用紙の入力予定時刻との対応付け情報を受信し、
前記特定したデジタルペン配備先と、前記デジタルペンの配備先と前記手書き記入された前記用紙の入力予定時刻との対応付け情報と、前記手書き記入情報と、前記手書き記入時刻とに基づき、前記手書き記入情報の文字や図形を認識する情報処理部を有する、
ことを特徴とする情報処理装置。
【請求項１２】
前記デジタルペン識別情報に代えて、端末識別情報を用いる、
ことを特徴とする請求項１０または請求項１１に記載の情報処理装置。
【請求項１３】
前記デジタルペン識別情報に代えて、記入者識別情報を用いる、
ことを特徴とする請求項１０または請求項１１に記載の情報処理装置。
【請求項１４】
前記用紙は、帳票であり、該帳票の判別用に利用される文字や図形が記入される第一の領域と、該帳票の記入内容として利用される文字や図形が記入される第二の領域と、を有する、
ことを特徴とする請求項１０乃至１３に記載の情報処理装置。
【請求項１５】
前記第一の領域は、記入者により、文字を一文字なぞらせるように印刷されている、
ことを特徴とする請求項１４に記載の情報処理装置。
【請求項１６】
前記第一の領域は、記入者により、チェックボックスのチェックマークをなぞらせるように印刷されている、
ことを特徴とする請求項１４に記載の情報処理装置。
【請求項１７】
端末と、該端末とネットワークを介して接続された情報処理装置とから構成される情報処理システムであって、
前記端末にはデジタルペンが接続されており、該デジタルペンは、ドットパターンが印刷された用紙に前記デジタルペンを用いて手書きで記入された情報を、ペン先の軌跡からなる位置情報として取得し、該情報を前記端末と前記ネットワークを介して前記情報処理装置に送信する情報送信部を有し、
前記情報処理装置は、
前記端末から前記手書き記入情報とデジタルペン識別情報を受信し、
前記手書き記入時刻を取得し、
前記受信したデジタルペン識別情報と、記憶部にあらかじめ記憶されている、前記デジタルペン識別情報と前記デジタルペン配置先との対応付け情報とに基づき、該当するデジタルペン配備先を特定し、
前記情報処理装置の外部から、前記デジタルペンの配備先と前記手書き記入された前記用紙の入力予定時刻との対応付け情報を受信し、
前記特定したデジタルペン配備先と、前記デジタルペンの配備先と前記手書き記入された前記用紙の入力予定時刻との対応付け情報と、前記手書き記入情報と、前記手書き記入時刻とに基づき、前記手書き記入情報の文字や図形を認識する情報処理部を有する、
ことを特徴とする情報処理システム。
【発明の詳細な説明】
【技術分野】
【０００１】
本発明は、文字および図形などのデータを認識する技術に係わり、特にデジタルペンを用いた情報処理システムに用いて好適なデータ認識技術に関する。
【背景技術】
【０００２】
近年、官庁や自治体、民間企業などの各分野で業務の電子化が進み、電子データを取り扱う場面が多くなってきている。一方で、「紙とペン」を用いた従来どおりの記入方法に対するニーズも高い。そこで、ドットパターンが印刷されたデジタルペン対応用紙にデジタルペンを用いて手書きで記入された情報を、ペン先の軌跡からなる位置情報として取得し電子データとして情報処理する技術が知られている（例えば、特許文献１）。
【０００３】
しかし、記入情報は記入者の手書きによるものであるため、情報処理の結果、記入情報を誤認識する場合がある。これに関連する技術として、電子ペンに音声出力機能を持たせることにより、利用者は記入文字の認識結果を確認し、誤認識を訂正することができる技術が知られている（例えば、特許文献２）。
【先行技術文献】
【特許文献】
【０００４】
【特許文献１】国際公開第０１/７１４７３号公報
【特許文献２】特開２００８−１５２５２８号公報
【発明の概要】
【発明が解決しようとする課題】
【０００５】
上記特許文献１や上記特許文献２に記載の技術は、用紙（帳票）毎に異なるドットパターンを印刷するものであるため、ドットパターンを印字できるプリンタが限られ利用環境によってはプリンタの設置が難しかったり、また、ドットパターンの利用代金がかかってしまうという課題がある。
【０００６】
また、上記特許文献２に記載の技術は、音声出力により誤認識を確認するものであるため、例えば、工場等で機械稼動音がする環境の中で軍手をして記入する場合など、デジタルペンを用いて帳票の記入を行う作業環境によっては、丁寧な記入が困難な場合があったり、音声出力による認識結果を確認できない場合があり、帳票と帳票への記入内容を正しく関連付けできない場合がある。
【０００７】
本発明の目的は、利用環境によらず容易にかつ安価に実現できるとともに、誤認識を低減可能な文字認識方法、これを実施する情報処理システムおよび情報処理装置を提供することにある。
【課題を解決するための手段】
【０００８】
上記目的を達成するために、例えば、本発明に係る文字図形認識方法は、情報処理手段により、入力手段を介して筆記入力された筆記情報の文字や図形を認識する文字図形認識方法であって、前記筆記情報と前記筆記時の環境を特定可能な情報を受信する処理と、筆記時刻を取得する処理と、前記受信した筆記時の環境を特定可能な情報と、記憶手段にあらかじめ記憶されている、前記筆記時の環境を特定可能な情報と前記文字もしくは図形を含む前記筆記時の環境を示す情報との対応付け情報とに基づき、該当する前記筆記時の環境を特定する処理と、該筆記時の環境を特定する情報と、前記記憶手段にあらかじめ記憶されている、前記筆記時の環境を示す情報と筆記予定時刻との対応付け情報と、前記筆記情報と、前記筆記時刻とに基づき、前記筆記情報の文字や図形を認識する処理とを実施することを特徴とする。
【発明の効果】
【０００９】
本発明によれば、利用環境によらず容易にかつ安価に実現できるとともに、誤認識を低減可能な文字認識方法、これを実施する情報処理システムおよび情報処理装置を提供することができる。
【図面の簡単な説明】
【００１０】
【図１】端末３１〜ｘ、帳票記入データ加工サーバ４に共通するハードウェア構成を示すブロック図である。
【図２】情報処理システムの動作概要および機能詳細を説明するための図である。
【図３】帳票入力予定者データ６１と帳票入力予定時刻データ５１の例を示す図である。
【図４】デジタルペン配備先対応表４９のデータ構成例を示す図である。
【図５】情報処理システムにより実施される情報処理を示す図である。
【図６】帳票２１〜ｍの例を示す図である。
【図７】帳票２１〜ｍへの記入結果を示す図である。
【図８】帳票２１〜ｍの他の例を示す図である。
【図９】情報処理システム全体構成を示す図である。
【発明を実施するための形態】
【００１１】
以下、本発明の実施例について、図面を参照して詳細に説明する。
【００１２】
なお、本実施例では、帳票を用いる輸送業に、デジタルペンを用いた情報処理システムを適用した場合を例にとり説明する。
【００１３】
図９は、情報処理システム全体構成を示す図である。
【００１４】
図９に示す情報処理システムは、デジタルペンを用いて、帳票に記入された内容に対して、あらかじめ保持された複数の帳票データから、上記記入内容に関連付けるべき帳票データを判別し、記入内容と判別した帳票データを加工し、その結果（以下、帳票加工結果と称する）を利用するシステムの一例である。
【００１５】
図９に示すように、この情報処理システムは、帳票２１〜ｍと、デジタルペン１１１〜ｘｎと、ネットワーク８に接続された端末３１〜ｘ、帳票記入データ加工サーバ４oyobi
帳票記入データ利用システム７とから構成される。
【００１６】
各帳票２１〜ｍには、同一のドットパターンが印刷されている。各デジタルペン１１１〜ｘｎには、それぞれを一意に識別可能な識別情報（以下、デジタルペンＩＤと称する）が付与されている。記入者が、例えば、帳票２１にデジタルペン１１１を用いて必要な情報を記入すると、デジタルペン１１１は、この記入情報（筆記情報）をペン先の軌跡からなる位置情報として取得できる。また、デジタルペン１１１〜ｘｎは、クレードル等を介して端末３１〜ｘに接続される。また、端末３１〜ｘ、帳票記入データ加工サーバ４は、一般的なコンピュータを用いて実現される。ネットワーク８は、ＬＡＮ（Local Area Network）やＷＡＮ（Wide Area Network）、無線通信ネットワークなど様々な通信手段を単独または組み合わせて実現できる。
【００１７】
図１は、端末３１〜ｘ、帳票記入データ加工サーバ４に共通するハードウェア構成を示すブロック図である。
【００１８】
図１に示すように、端末３１〜ｘ、帳票記入データ加工サーバ４を実現するコンピュータは、ＣＰＵ（Central Processing Unit）等の演算装置１００と、メモリ１０２と、ハードディスク等の外部記憶装置１０４と、ネットワーク８を介して他装置と通信を行うための通信装置１０６と、キーボードやマウス、ボタン等の入力装置１０８と、モニタ等の出力装置１１０と、これら各装置間のデータ送受信を行うためのインタフェース（例えば、ＢＵＳ）１１２を備えている。
【００１９】
外部記憶装置１０４には、演算装置１００が実行するためのプログラムや各種データが格納されている。演算装置１００は、外部記憶装置１０４からプログラムをメモリ１０２にロードし、実行する。
【００２０】
なお、帳票記入データ加工サーバ４は、入力装置１０８、出力装置１１０を備えていなくても良い。
【００２１】
図２は、情報処理システムの概要および機能詳細を説明するための図である。なお、ここでは、説明の便宜上、デジタルペン１１１により帳票２１に記入されたデータが、端末３１、ネットワーク８を介して帳票記入データ加工サーバ４へ送信され、帳票記入データ加工サーバ４により所定の情報処理が行われ、その結果がネットワーク８を介して帳票記入データ利用システム７へ送信される場合を例にとり、デジタルペン１１１、端末３１、帳票記入データ加工サーバ４の動作概要および機能詳細を説明する。
【００２２】
まず、情報処理システムの動作概要を説明する。
【００２３】
図示していないが、デジタルペン１１１には、カメラ、画像処理装置、メモリ、インクカートリッジ、筆圧センサー等が内蔵されている。例えば、帳票２１への記入時に筆圧センサーが作動し、カメラが帳票２１に印刷されているドットパターンを読み込むと、これを画像処理装置がペン先の位置情報として取得し、メモリに蓄積する。また、デジタルペン１１１のメモリには、あらかじめデジタルペン１１１に付与されたデジタルペンＩＤ１１１１が保持されている。記入者が、例えばデジタルペン１１１を用いて帳票２１に必要な情報を記入すると、デジタルペン１１１は、その記入データ（以下、帳票記入データと称する）９１を取得し、その帳票記入データ９１およびデジタルペンＩＤ１１１1を端末３１へ送信する。
【００２４】
端末３１は、デジタルペン１１１から取得した帳票記入データ９１およびデジタルペンＩＤ１１１1をネットワーク８を介して帳票記入データ加工サーバ４へ送信する。
【００２５】
帳票記入データ加工サーバ４は、端末３１から受信した帳票記入データ９１およびデジタルペンＩＤ１１１1と、帳票記入データ９１の取得時刻と、帳票入力予定時刻管理部５にて管理されている帳票毎の入力予定時刻データ５１と、帳票入力予定者管理部６にて管理されている帳票毎の利用部署や利用者等の帳票入力予定者データ６１と、デジタルペン配備先対応表４９に格納されているデジタルペンＩＤとデジタルペン配備先との対応付け情報と、帳票格納部４２に格納されている帳票データ４２１を用いて、帳票記入データ９１の文字や図形を認識し、帳票記入データ９１に関連付けるべき帳票データ４２１を判別し、帳票記入データ９１と帳票データ４２１から帳票加工結果９３を生成し、これをネットワーク８を介して帳票記入データ利用システム７へ送信する。なお、帳票記入データ利用システム７は、受信した帳票加工結果９３を利用して動作するシステムであり、本実施例では、特に機能や動作を限定しない。
【００２６】
次に、帳票２１の構成と、端末３１および帳票記入データ加工サーバ４の機能について詳述する。
【００２７】
帳票２１は、帳票判別用に使用される文字や図形が記入される帳票判別用記入領域２２１と、帳票の記入内容として使用される文字や図形が記入される帳票内入力用記入領域２１１と、を有する。
【００２８】
端末３１の外部記憶装置１０４には、帳票記入データ取得機能３３１、帳票記入データ送信機能３１１および帳票修正機能３２１からなるプログラムが格納されている。
【００２９】
帳票記入データ取得機能３３１は、デジタルペン１１１から帳票記入データ９１およびデジタルペンＩＤ１１１1を取得する機能を有する。
【００３０】
帳票記入データ送信機能３１１は、この取得データをネットワーク８を介して帳票記入データ加工サーバ４へ送信する機能を有する。
【００３１】
帳票修正機能３２１は、帳票記入データ加工サーバ４により生成、送信された帳票加工結果９３を修正する機能を有する。
【００３２】
帳票記入データ加工サーバ４の外部記憶装置１０４には、帳票記入データ取得機能４８、外部情報取得機能４６、認識候補絞込み機能４５、帳票判別用文字・図形認識機能４４、帳票選択機能４３および加工結果送信機能４１からなるプログラムと、デジタルペン配備先対応表４９と、帳票格納部４２とが格納されている。なお、帳票入力予定者データ６１および帳票入力予定時刻データ５１は、図２に示すように、それぞれ別々のテーブル等で管理しても良いし、同一のテーブル等で管理しても良い。また、帳票入力予定者データ６１および帳票入力予定時刻データ５１のどちらか一方のデータのみを管理して用いるようにしても良い。
【００３３】
帳票記入データ取得機能４８は、端末３１から受信した帳票記入データ９１およびデジタルペンＩＤ１１１1を取得する機能を有する。
【００３４】
外部情報取得機能４６は、帳票入力予定者管理部（例えば、テーブル）６で管理されている、帳票毎の利用予定部署や利用者等の帳票入力予定者データ６１と、帳票入力予定時刻管理部５（例えば、テーブル）で管理されている、帳票毎の入力予定時刻データ５１とを取得する機能を有する。
【００３５】
デジタルペン配備先対応表４９は、デジタルペンＩＤと、そのデジタルペンＩＤが付与されたデジタルペンの配備先を示す情報とをそれぞれ対応付けて記憶する。
【００３６】
認識候補絞込み機能４５は、帳票記入データ９１およびデジタルペンＩＤ１１１1と、デジタルペン配備先対応表４９と、帳票記入データ９１を取得した時刻と、帳票入力予定者データ６１と、帳票入力予定時刻データ５１とから、帳票２１の帳票判別用記入領域２２１に記入された文字や図形の認識候補を絞り込む機能を有する。
【００３７】
帳票判別用文字・図形認識機能４４は、帳票記入データ９１のうちの帳票判別用記入領域２２１に記入された文字や図形を認識し、その認識結果を生成する機能を有する。
【００３８】
帳票選択機能４３は、帳票格納部４２に格納されている複数の帳票データ４２１から、上記認識結果を元に帳票記入データ９１に関連付けるべき帳票データ４２１を判別し、帳票格納部４２から取得する機能を有する。
【００３９】
帳票格納部４２は、複数の帳票データ４２１を格納する。
【００４０】
帳票内入力用文字・図形認識機能４７は、帳票記入データ９１のうちの帳票内入力用記入領域２１１に記入された文字や図形を認識し、その認識結果を生成する機能を有する。
【００４１】
加工結果送信機能４１は、帳票選択機能４３により判別、取得された帳票データ４２１と、帳票判別用文字・図形認識機能４４および帳票内入力用文字・図形認識機能４７により生成された認識結果とから生成した帳票加工結果９３をネットワーク８を介して帳票記入データ利用システム７へ送信する機能を有する。
【００４２】
図３は、帳票入力予定者データ６１および帳票入力予定時刻データ５１の例を示す図である。
【００４３】
図３に示すデータ例は、納品元部署から納品先部署への輸送便の出発予定時刻がまとめられたものであり、帳票入力予定者データ６１および帳票入力予定時刻データ５１が同一のテーブルで管理されている場合を示している。例えば、納品元部署が東京工場で、納品先部署が大崎支店の場合、輸送便の出発予定時刻は２：００（１便）と１６：００（２便）であることがわかる。
【００４４】
図４は、デジタルペン配備先対応表４９のデータ構成例を示す図である。
【００４５】
図４に示すように、デジタルペン配備先対応表４９には、デジタルペンＩＤ４００と、そのデジタルペンＩＤが付与されたデジタルペンの配備先を示す情報４０１とがそれぞれ対応付けられて格納されている。例えば、デジタルペンＩＤが「００００１」、「０００２」、「０００３」が付与されたデジタルペンは、東京工場に配備されていることがわかる。
【００４６】
図５は、情報処理システムにより実施される情報処理を示す図である。なお、ここでは、デジタルペンＩＤ（「００００１」）が付与されたデジタルペン１１１を使用する記入者が、ある時刻に帳票２１の記入領域２２１、２１１にデータを記入した場合における情報処理システムにより実際される情報処理を例にとり説明する。また、情報処理システムを構成する端末３１、帳票記入データ加工サーバ４において、本来演算装置１００が外部記憶装置１０４からメモリ１０２にロードしたプログラムを実行するが、ここでは説明の便宜上、プログラムの機能を実行主体として、それぞれが行う処理を説明する。
【００４７】
まず、記入者が、例えば、図６に示す帳票２１にデジタルペン１１１を用いて必要な情報を記入する。帳票２１には、事前に、帳票毎に納品物の品目が印刷されているものとする。帳票判別用記入領域２２１は、支店名の第一番目の文字とする。すなわち、帳票判別用記入領域２２１は、「大崎支店」の「大」の字の領域に該当し、記入者にデジタルペン１１１を用いてその文字をなぞらせるものとする。この場合、記入者がなぞる文字が一目で分かるように、例えば、帳票印刷時に「大」の字を他の字よりうすく印刷しておく。
【００４８】
なお、図６に示す例では、帳票判別用記入領域２２１への記入方法として、１文字をなぞらせるものとしたが、その方法に限定しない。例えば、帳票判別用記入領域２２１への記入方法として、複数の文字をなぞらせる方法、なぞらせずに支店名を記入させる方法、納品先支店の識別番号をなぞらせる方法、あるいは図８に示すように、チェックボックスを設けてチェックマークをなぞらせる方法等であっても良い。
【００４９】
図６に示す帳票２１において、記入者がデジタルペン１１１を用いて、帳票判別用記入領域２２１の「大崎支店」の「大」の字をなぞり、帳票内記入領域２１１に必要な情報（納品物の品目毎の個数）を記入し場合の記入結果を図７に示す。
【００５０】
このように、帳票２１に必要な情報が記入されると、デジタルペン１１１は、その帳票２１への記入データ９１（図２）を取得する（ステップ５１０１）。
【００５１】
次に、記入者が、デジタルペン１１１をクレードルに接続すると、接続信号が端末３１へ通知され、端末３１はその接続信号により接続を受付け、デジタルペン１１１に応答する（ステップ５１０２、ステップ５２０１）。
【００５２】
次に、デジタルペン１１１は、帳票記入データ９１およびデジタルペンＩＤ１１１１（「００００１」）を端末３１へ送信する（ステップ５１０３）。
【００５３】
端末３１は、帳票記入データ取得機能３３１によって、帳票記入データ９１およびデジタルペンＩＤ１１１１を取得し（ステップ５２０２）、帳票記入データ送信機能３１１によって、ネットワークのアドレス情報等に基づき、帳票記入データ９１およびデジタルペンＩＤ１１１１をネットワーク８を介して帳票記入データ加工サーバ４へ転送する（ステップ５２０３）。
【００５４】
帳票記入データ加工サーバ４は、帳票記入データ取得機能４８によって、帳票記入データ９１およびデジタルペンＩＤ１１１を取得する（ステップ５３０１）。
【００５５】
次に、帳票記入データ加工サーバ４は、帳票記入データ取得機能４８によって、帳票記入データ９１およびデジタルペンＩＤ１１１１を取得した時刻（例えば、２００７年５月１６日１６時０９分１５秒）を、外部のＮＴＰ（Ｎｅｔｗｏｒｋ  Ｔｉｍｅ  Ｐｒｏｔｏｃｏｌ）サーバ等から取得する（ステップ５３０２）。本実施例では、この取得時刻を上記帳票記入データ９１に関連する帳票２１へのデータ記入時刻とする（ステップ５３０２）。
【００５６】
次に、帳票記入データ加工サーバ４は、外部情報取得機能４６によって、帳票入力予定者データ６１および帳票入力予定時刻データ５１（図３）を取得する（ステップ５３０３）。
【００５７】
次に、帳票記入データ加工サーバ４は、認識候補絞込み機能４５によって、ステップ５３０１で取得した帳票記入データ９１およびデジタルペンＩＤ１１１１と、デジタルペン配備先対応表４９（図４）と、ステップ５３０２で取得したデータ記入時刻と、ステップ５３０３で取得したデータに基づいて、帳票２１の帳票判別用記入領域２２１に記入された文字の認識候補を絞り込む（ステップ５３０４）。
【００５８】
具体的には、まず、認識候補絞込み機能４５は、デジタルペン配備先対応表４９を参照して、ステップ５３０１で取得したデジタルペンＩＤ１１１１（「００００１」）に対応するデジタルペン配備先（納品元）を検索する。図４に示す例では、デジタルペン配備先として、東京工場が検索される。次に、認識候補絞込み機能４５は、ステップ５３０３で取得した帳票入力予定者データ６１（図３）を参照して、納品元＝「東京工場」に対応する納品先を検索する。図３に示す例では、納品先として、「大崎支店」、「品川支店」、「池袋支店」、「下北沢支店」等が検索される。次に、認識候補絞込み機能４５は、ステップ５３０３で取得した帳票入力予定時刻データ５１を参照して、ステップ５３０２で取得した時刻（例えば、２００７年５月１６日１６時０９分１５秒）に対応する輸送便を検索する。図３に示す例では、輸送便として、記入時間の前後３０分の範囲で出発が予定されている、大崎支店行き２便、品川支店行き２便および川崎支店行き１便が検索される。認識候補絞込み機能４５は、図３に示すデータを参照して検索した結果の双方を満たす輸送便として、大崎支店行き２便および品川支店行き２便を選択し、その第一番目の文字である「大」か「品」が、帳票判別用記入領域２２１に記入される可能性が高いと認識し、「大」と「品」を認識候補として絞り込む。
【００５９】
次に、帳票記入データ加工サーバ４は、帳票判別用文字・図形認識機能４４によって、ステップ５３０１で取得した帳票記入データ９１に含まれる帳票判別用記入領域２２１への手書き入力文字とステップ５３０４で絞り込んだ認識候補から、「大」を認識結果として認識する（ステップ５３０５）。
【００６０】
次に、帳票記入データ加工サーバ４は、帳票選択機能４３によって、この認識結果を用いて、帳票格納部４２から該当する帳票データ４２１を取得する（ステップ５３０６）。本実施例では、大崎支店行き２便に対応する帳票データ４２１が取得される。
【００６１】
なお、帳票として、図８に示すようなチェックボックスを設けてチェックマークをなぞらせる方法を用いた場合も同様に、大崎支店行き２便に対応する帳票データ４２１が取得される。
【００６２】
次に、帳票記入データ加工サーバ４は、帳票内入力用文字・図形認識機能４７によって、帳票内入力用記入領域２１１に記入された手書き入力文字を認識する（ステップ５３０７）。
【００６３】
次に、帳票記入データ加工サーバ４は、加工結果送信機能４１によって、ステップ５３０６で取得した帳票データと、ステップ５３０５およびステップ５３０７で得た認識結果とから帳票加工結果９３（図２）を生成し、これを含む帳票加工結果の確認要求をネットワーク８を介して端末３１へ送信する（ステップ５３０８）。帳票加工結果９３は、メモリ１０２等に格納される。
【００６４】
端末３１は、帳票修正機能３２１によって、受信した帳票加工結果をモニタ等の出力装置１１０に表示する（ステップ５２０４）。この際、帳票入力予定者データや帳票入力予定時刻データを用いて認識された部分は、記入者に分かるように表示される。例えば、文字・図形の認識結果が帳票上に表示され、画面下に「詳細表示」のボタンが表示される。記入者が入力装置１０８を用いて、「詳細表示」を押下する操作を行うと、例えば記入者名や記入者の所属部署、記入時刻等の情報が出力装置１１０に表示される。
【００６５】
また、誤認識されている文字や図形があった場合には、記入者は、入力装置１０８を用いてその文字等を画面から修正できる。この場合、端末３１は、その修正データを取得し、これを含む修正加工結果の修正要求をネットワーク８を介して帳票記入データ加工サーバ４へ送信する（ステップ５２０５）。
【００６６】
帳票記入データ加工サーバ４は、受信した修正データに基づき、メモリ１０２等に格納された帳票加工結果９３を修正する（ステップ５３０９）。
【００６７】
また、帳票記入データ加工サーバ４の帳票判別用文字・図形認識機能４４および帳票判別用文字・図形認識機能４７は、例えば、修正文字等を外部記憶装置１０４等に格納しておき、次回以降、修正された文字や図形を認識候補として絞り込めるよう学習する（ステップ５３１０）。
【００６８】
次に、帳票記入データ加工サーバ４は、加工結果送信機能４１によって、帳票加工結果９３をネットワーク８を介して帳票記入データ利用システム７へ送信する（ステップ５３１１）。
【００６９】
以上説明したように、上記実施例によれば、利用環境によらず容易にかつ安価に実現できるとともに、誤認識を低減可能な技術を提供することができる。
【００７０】
また、上記実施例によれば、複数の異なる帳票２１〜ｍには、同一のドットパターンを印刷するので、利用環境によらずプリンタの設置が容易であるとともに、ドットパターンの利用代金も極力抑えることができる。
（他実施例）
上記実施例では、帳票入力予定者管理部６と帳票入力予定時刻管理部５が帳票記入データ加工サーバ４の外部にある場合を示したが、これらを帳票記入データ加工サーバ４に設けても良い。
【００７１】
また、上記実施例では、支店名の第一番目の文字を帳票判別用記入領域２２１としたが、帳票判別用記入領域２２１を自動で設定できる機能を備えても良い。具体的には、例えば、「大崎」の「大」と「大森」の「大」のように、第一番目の文字が重複する場合がある。そこで、帳票記入データ加工サーバ７において、記入者になぞらせる文字に重複した文字が無いかを事前にチェックし、もし「大崎」と「大森」のように重複した文字があれば、「大森」についてなぞらせる文字を「森」にするなどの処理を行い、その結果である帳票をプリンタで出力するようにすれば良い。図５のステップ５３０６（認識候補絞込み処理）において、支店名の第一番目の文字のみの違いでは帳票選択が出来ない場合などに好適である。
【００７２】
また、上記実施例では、図５のステップ５３０６において、デジタルペン１１１から取得したデジタルペンＩＤ１１１１を用いたが、端末３１を識別する情報（端末ＩＤ）や、端末３１を利用する記入入者のログインＩＤ等の記入者識別情報を用いても良い。また、端末３１が車載機である場合には、車の登録番号等を用いても良い。あるいは、デジタルペンに位置測定機能を持つＧＰＳ等を設け、これにより生成された記入者の識別情報を用いても良い。
【００７３】
また、上記実施例では、図５のステップ５３０２において、帳票記入データ加工サーバ４がデータを取得した際に、ＮＴＰから時刻を取得する方法を示したが、デジタルペン１１１が時刻情報を取得して帳票記入データに追加する方法や、端末３１が時刻情報を取得して帳票記入データに追加する方法等であっても良い。
【００７４】
また、上記実施例では、記入時刻の前後３０分の範囲で輸送便を特定する方法を示したが、範囲の時間帯はこれに限定されない。
【００７５】
また、上記本実施例では、帳票判別用文字・図形認識機能４４と帳票内入力用文字・図形認識機能４７とを分離した場合を示したが、文字・図形認識機能は同じものを用いても良い。
【００７６】
また、上記実施例では、デジタルペンによる帳票記入データに対して、関連付けるべき帳票を判別する方法を示したが、スキャナで読み取った帳票記入データに対して、関連付けるべき帳票を判別する方法についても上記実施例で説明した方法を適用できる。
【００７７】
また、上記実施例では、帳票記入データ加工サーバ４と端末３１〜Ｘとを分離した場合を示したが、端末３１〜Ｘに帳票記入データ加工サーバ４の機能を設けても良い。
【００７８】
その他、本発明は、上述した実施例に限定されるものではなく、その要旨を逸脱しない範囲で種々変更可能である。
【符号の説明】
【００７９】
１１１〜ｘｎ  デジタルペン
２１〜２ｍ  帳票
３１〜３ｘ  端末
４  帳票記入データ加工サーバ
５  帳票予定時刻管理部
６  帳票入力予定者管理部
７  帳票記入データ利用システム
８  ネットワーク
１１１１  デジタルペンＩＤ
２１１〜２１ｍ  帳票内入力用記入領域
２２１〜２２ｍ  帳票判別用記入領域
３１１〜３１ｘ  帳票記入データ送信機能
３３１〜３３ｘ  帳票記入データ取得機能
４１  加工結果送信機能
４２  帳票格納部
４３  帳票選択機能
４４  帳票判別用文字・図形認識機能
４５  認識候補絞込み機能
４６  外部情報取得機能
４７  帳票内入力用文字・図形認識機能
４８  帳票記入データ取得機能
５１  帳票入力予定時刻データ
６１  帳票入力予定者データ
９１  帳票記入データ
９３  帳票加工結果
４２１  帳票データ
１００  演算装置
１０２  メモリ
１０４  外部記憶装置
１０６  通信装置
１０８  入力装置
１１０  出力装置
１１２  インタフェース
【図１】
2010191554.tif 000003
【図２】
2010191554.tif 000004
【図３】
2010191554.tif 000005
【図４】
2010191554.tif 000006
【図５】
2010191554.tif 000007
【図６】
2010191554.tif 000008
【図７】
2010191554.tif 000009
【図８】
2010191554.tif 000010
【図９】
2010191554.tif 000011